(57)【要約】  【課題】  適切な耕耘作業ができる部分深耕機を提供する。  【解決手段】部分深耕機１は、トラクタの走行により移動しながら圃場の深い位置の土まで耕耘するものである。部分深耕機１は、トラクタに連結可能な機枠２を備え、機枠２には下端部にチゼル部10を有する支持体11を設ける。支持体11には、圃場の土を切削して持ち上げて反転放てきする土作業体21を左右方向の軸22を中心として回動調節可能に設ける。土作業体21は、圃場の土質に応じて起伏調節できる。  【選択図】図１
2005087022.tif 000002
【特許請求の範囲】
【請求項１】
走行車の走行により移動しながら、圃場の深い位置の土まで耕耘する部分深耕機であって、
前記走行車に連結される機枠と、
この機枠に設けられ、下端部にチゼル部を有する支持体と、
この支持体に左右方向の軸を中心として回動調節可能に設けられ、圃場の土を切削して持ち上げて放てきする土作業体と
を備えることを特徴とする部分深耕機。
【請求項２】
土作業体は、上側土作業部および下側土作業部を有し、
前記上側土作業部は、前記下側土作業部に左右方向の軸を中心として回動調節可能に設けられている
ことを特徴とする請求項１記載の部分深耕機。
【請求項３】
走行車の走行により移動しながら、圃場の深い位置の土まで耕耘する部分深耕機であって、
前記走行車に連結される機枠と、
この機枠に設けられ、下端部にチゼル部を有する支持体と、
この支持体に左右方向の軸を中心として回転調節可能に設けられ、前記チゼル部からの土を受け入れて圃場面近傍まで持ち上げるとともに自らも圃場の土を切削して圃場面近傍まで持ち上げる第１土作業体と、
この第１土作業体に左右方向の軸を中心として回動調節可能に設けられ、前記第１土作業体からの土を受け入れて圃場面上方まで持ち上げて放てきする第２土作業体と
を備えることを特徴とする部分深耕機。
【発明の詳細な説明】
【技術分野】
【０００１】
本発明は、適切な耕耘作業ができる部分深耕機に関するものである。
【背景技術】
【０００２】
従来、走行車の走行により移動しながら圃場の深い位置の土まで耕耘する部分深耕機（チゼルプラウ）としては、例えば上端側が側方に向ってねじられた縦長状のねじり板にて構成された固定式の土作業体を備え、この土作業体で土を切削して持ち上げて反転放てきするようにしたものが知られている（例えば、特許文献１参照）。
【特許文献１】特開平９−３２２６０１号公報
【発明の開示】
【発明が解決しようとする課題】
【０００３】
しかしながら、上記従来の部分深耕機のように固定式の土作業体を備えた構成では、土質等の圃場状態に対応できず、適切な耕耘作業ができないおそれがある。
【０００４】
本発明は、このような点に鑑みなされたもので、適切な耕耘作業ができる部分深耕機を提供することを目的とする。
【課題を解決するための手段】
【０００５】
請求項１記載の部分深耕機は、走行車の走行により移動しながら、圃場の深い位置の土まで耕耘する部分深耕機であって、前記走行車に連結される機枠と、この機枠に設けられ、下端部にチゼル部を有する支持体と、この支持体に左右方向の軸を中心として回動調節可能に設けられ、圃場の土を切削して持ち上げて放てきする土作業体とを備えるものである。
【０００６】
そして、土作業体を左右方向の軸を中心とする回動調節により起伏調節できるため、土質等の圃場状態に対応でき、よって適切な耕耘作業をすることが可能となる。
【０００７】
請求項２記載の部分深耕機は、請求項１記載の部分深耕機において、土作業体は、上側土作業部および下側土作業部を有し、前記上側土作業部は、前記下側土作業部に左右方向の軸を中心として回動調節可能に設けられているものである。
【０００８】
そして、上側土作業部を左右方向の軸を中心として回動調節することにより、上側土作業部を個別的に起伏調節することが可能となる。
【０００９】
請求項３記載の部分深耕機は、走行車の走行により移動しながら、圃場の深い位置の土まで耕耘する部分深耕機であって、前記走行車に連結される機枠と、この機枠に設けられ、下端部にチゼル部を有する支持体と、この支持体に左右方向の軸を中心として回転調節可能に設けられ、前記チゼル部からの土を受け入れて圃場面近傍まで持ち上げるとともに自らも圃場の土を切削して圃場面近傍まで持ち上げる第１土作業体と、この第１土作業体に左右方向の軸を中心として回動調節可能に設けられ、前記第１土作業体からの土を受け入れて圃場面上方まで持ち上げて放てきする第２土作業体とを備えるものである。
【００１０】
そして、第１土作業体を左右方向の軸を中心とする回動調節により起伏調節できるとともに第２土作業体を左右方向の軸を中心とする回動調節により起伏調節できるため、土質等の圃場状態に対応でき、よって適切な耕耘作業をすることが可能となる。
【発明の効果】
【００１１】
請求項１記載の部分深耕機によれば、土作業体を左右方向の軸を中心とする回動調節により起伏調節できるため、土質等の圃場状態に対応でき、よって適切な耕耘作業ができる。
【００１２】
請求項２記載の部分深耕機によれば、上側土作業部を左右方向の軸を中心として回動調節することにより、上側土作業部を個別的に起伏調節することができる。
【００１３】
請求項３記載の部分深耕機によれば、第１土作業体を左右方向の軸を中心とする回動調節により起伏調節できるとともに第２土作業体を左右方向の軸を中心とする回動調節により起伏調節できるため、土質等の圃場状態に対応でき、よって適切な耕耘作業ができる。
【発明を実施するための最良の形態】
【００１４】
本発明の部分深耕機の一実施の形態を図面を参照して説明する。
【００１５】
図１において、１は部分深耕機（チゼルプラウ）で、この部分深耕機１は、走行車であるトラクタ（図示せず）の後部に前部を連結して使用する牽引式のものである。
【００１６】
そして、部分深耕機１は、トラクタの走行（牽引動作）により圃場を進行方向である前方（図示Ｘ）に移動しながら、圃場の深い位置の土（例えば心土層の土である心土）まで耕耘する耕耘作業機である。
【００１７】
なお、部分深耕機１は、圃場の心土層および耕盤層を幅狭状に切削するとともにこの切削された土を圃場面（図示Ｇ）上方まで持ち上げてその圃場面上に反転放てきすることにより下層土と上層土とを混和させるもので、プラウの天地返しとサブソイラの心土破砕との両方の機能を発揮しうるものである。
【００１８】
部分深耕機１は、例えば作業部固定式のもので、図示しないトラクタの後部の３点リンク部（作業機昇降支持装置）に連結された機枠２を備えている。
【００１９】
機枠２は、左右方向にやや長手状の主フレーム部３を有し、この主フレーム部３には走行車連結部であるトラクタ連結部４が前方に向って突出状に設けられている。トラクタ連結部４には、トラクタの後部の３点リンク部が連結されている。なお、機枠２のトラクタ連結部４は、トップピン５を有するトップマスト６と、ロワピン７を有する左右一対のロワアーム８とにて構成されている。
【００２０】
また、主フレーム部３からは略板状の突出部９が後方に向って突出しており、この突出部９の後端部には、下端部にチゼル部10を有し耕耘作業時には圃場の土中深く挿入される縦長状の支持体（チゼル付ビーム）11が着脱可能に設けられている。
【００２１】
支持体11は、上下方向に長手状で略下半部が湾曲した略板状に形成され耕耘作業時にはその略下半部が土中を移動する支持本体部12を有し、この支持本体部12の上端部が機枠２の突出部９の後端部に着脱可能に取り付けられている。
【００２２】
また、支持本体部12の下端部前側には、前面部である作用面部13で圃場の土を切削して持ち上げる金属製のチゼル部（先金）10が設けられている。すなわち、チゼル部10の取付板部16が支持本体部12の下端部前側に固定具17にて固定されている。また、支持本体部12の下端部後側には、ウイング14およびソリ15がそれぞれ設けられている。なお、ソリ15の幅寸法は、進行方向前方に位置するチゼル部10の作用面部13の幅寸法より小さくなっている。
【００２３】
さらに、支持本体部12の上下方向中間部には、チゼル部10の作用面部13からの土を受け入れて持ち上げて側方に反転放てきするとともに圃場の土を切削して持ち上げて側方に反転放てきする土作業体21がその土作業体21の全体を進行方向に対して起伏調節（前後方向に起伏調節）できるように左右方向の軸（支点）22を中心として回動調節可能に設けられている。
【００２４】
ここで、土作業体21は、例えば前面部である作用面部26でチゼル部10の作用面部13からの土を受け入れて圃場面近傍まで持ち上げるとともに自らも圃場の土を切削して圃場面近傍まで持ち上げる第１土作業体である切削体（下側土作業部）27と、前面部である作用面部28で下方の切削体27からの土を受け入れて圃場面上方まで持ち上げて側方に向けて反転放てきする第２土作業体である反転体（上側土作業部）29とを有している。
【００２５】
そして、切削体27は、支持体11の支持本体部12に進行方向に対して起伏調節（前後方向に起伏調節）できるように左右方向の軸22を中心として回転調節可能に設けられている。例えば切削体27は、取付板部33の長孔31内における固定具32の位置を変えることにより、支持体11に対して軸22を中心として前後方向に回転調節可能となっている。なお、支持体11に対して切削体27を固定するための固定具32は、例えばボルトおよびナットである。
【００２６】
また、反転体29は、切削体27の取付板部33に進行方向に対して起伏調節（前後方向に起伏調節）できるように左右方向の軸34を中心として回動調節可能に設けられている。例えば反転体29は、取付板部38の長孔36内における固定具37の位置を変えることにより、切削体27に対して軸34を中心として回転調節可能となっている。なお、切削体27に対して反転体29を固定するための固定具37は、例えばボルトおよびナットである。
【００２７】
なお、切削体27および反転体29の各作用面部26，28は、いずれも土付着が軽減されるよう合成樹脂板にて構成されており、各作用面部26，28は互いに上下に隣接した状態に配設されている。また、反転体29の作用面部28は、進行方向に対して一側方（放てきする側）に傾斜した状態に配設されている。
【００２８】
次に、上記一実施の形態の作用等を説明する。
【００２９】
部分深耕機１を使用して耕耘作業をする場合、図示しないトラクタの３点リンク部に機枠２のトラクタ連結部４を連結することにより、トラクタの後部に部分深耕機１を連結装着する。
【００３０】
そして、トラクタの３点リンク部を作動させて部分深耕機１を下降させることにより部分深耕機１の一部を圃場の土中に深く差し込み、その後、トラクタの前進走行により部分深耕機１を前方に移動させる。
【００３１】
部分深耕機１が前方に移動すると、圃場の土がチゼル部10の作用面部13にて切削されて持ち上げられ、またそのチゼル部10の作用面部13に連続した土作業体（切削体27および反転体29）21の作用面部26，28によってチゼル部10の作用面部13からの土が圃場面上方まで持ち上げられて反転放てきされるとともに圃場の土が切削されて圃場面上方まで持ち上げられて反転放てきされる。
【００３２】
ここで、例えば圃場の土質が砂土や砂壌土といった粘土含量の少ない土質、或いは軽しょう土（クロボク）といった軽い土質等の場合には、土作業体21にて土を上方へ積極的に流すために、作業者は、予め、土作業体21を軸22を中心として回動調節して起伏調節し、土作業体21の作用面部26，28を図１に示す基本姿勢に比べやや起きた姿勢にしておく。
【００３３】
また、例えば圃場の土質が植土等の粘土含量の多い土質、或いは石の多い礫土の場合には、トラクタの牽引抵抗を減少させてスムーズな作業を可能とするために、作業者は、予め、土作業体21を軸22を中心として回動調節して起伏調節し、土作業体21の作用面部26，28を図１に示す基本姿勢に比べやや伏せた姿勢にしておく。
【００３４】
なお、作業者は、必要に応じて反転体29の作用面部28のみを軸34を中心として回動調節して起伏調節する。
【００３５】
このように部分深耕機１によれば、切削体27および反転体29にて構成された土作業体21を支持体11の前縁に対して接離するように軸22を中心として回動させることで起伏調節できるため、圃場の土質等の圃場状態に容易に対応でき、よって適切なかつ安定した耕耘作業を行うことができる。
【００３６】
また、上側土作業部である反転体29を左右方向の軸34を中心として回動調節することにより、反転体29のみを個別的に起伏調節することができ、より一層適切な耕耘作業ができる。
【００３７】
なお、部分深耕機１の土作業体21は、互いに別体の切削体27および反転体29にて構成された作業面部分割タイプのものには限定されず、例えば図２に示すように、１枚状の合成樹脂板（例えばねじり板、或いはねじられていない板等）にて構成され互いに連続した作用面部26，28を有する作業面部一体タイプのもの等でもよい。なお、土作業体21の作用面部26，28は、合成樹脂製には限定されず金属製でもよく、その形状も任意である。
【００３８】
また、土作業体21は、長孔31および固定具32を利用して回動調節するものには限定されず、例えば図２に示すように、所定方向に並んだ複数の丸孔31aおよび固定具32を利用して回動調節するようなもの等でもよい。
【００３９】
さらに、切削体27は、その下端部が支持体11の支持本体部12の下端部近傍に軸22を介して取り付けられたものには限定されず、例えば図３に示すように、切削体27の下端部を支持体11のチゼル部10の取付板部16に軸22を介して取り付ける構成としてもよい。
【００４０】
また、左右方向の軸34を中心として回動調節可能な反転体29は、固定具37にて切削体27に固定するものには限定されず、例えば図３に示すように、固定具37にて支持体11に固定するようにしてもよい。
【００４１】
さらに、図示しないが、部分深耕機１は、１つの土作業体21を備える構成には限定されず、左右位置が異なる複数（例えば左右一対、或いは３つ、４つ等）の土作業体21を備えるようなものでもよい。
【００４２】
また、図示しないが、部分深耕機１は、土作業体21を合成樹脂板にて構成し、この合成樹脂板のみを起伏調節するようなもの等でもよい。さらに、部分深耕機１は、土作業体21がトラクタ側からの動力で振動する振動式のもの等でもよい。
【００４３】
また、部分深耕機１は、土作業体21にて持ち上げられてくる切削土に対向するように位置して切削土を側方に誘導する土誘導面部を備えたものや、土作業体21にて持ち上げられてくる切削土に対向するように位置して切削土を切断する切断部を備えたもの等でもよい。
【００４４】
さらに、反転体29の作用面部28は進行方向を向いたものでもよく、土作業体21は土を切削して持ち上げて上方（例えば土誘導面部等の補助土作業部側）へ放てきするものでもよい。
【００４５】
なお、切削体27の回動支点である左右方向の軸22および反転体29の回動支点である左右方向の軸34には、左右方向に対して多少傾斜した方向に沿ったものも含まれる。
【図面の簡単な説明】
【００４６】
【図１】本発明の部分深耕機の一実施の形態を示す側面図である。
【図２】本発明の部分深耕機の他の実施の形態を示す一部側面図である。
【図３】本発明の部分深耕機のさらに他の実施の形態を示す一部側面図である。
【符号の説明】
【００４７】
１    部分深耕機
２    機枠
10    チゼル部
11    支持体
21    土作業体
22，34    軸
27    下側土作業部である切削体（第１土作業体）
29    上側土作業部である反転体（第２土作業体）
【図１】
2005087022.tif 000003
【図２】
2005087022.tif 000004
【図３】
2005087022.tif 000005